【事件の表示】
　特許第２７９４０３６号「連続式電解水生成装置」の請求項１に係る特許に対する特許異議の申立てについて、次のとおり決定する。
【結　論】
　訂正を認める。
　特許第２７９４０３６号の特許を維持する。
【理　由】
理由
１．手続きの経緯
　本件特許２７９４０３６号は、平成１年６月３０日に特許出願され、平成１０年６月２６日にその特許の設定登録がなされたものである。
　これに対し、その後テクノエクセル株式会社及び池田英起より、本件請求項１に係る発明について特許異議の申立てがなされ、取消理由通知がなされ、その指定期間内の平成１１年８月９日に訂正請求がなされたが、この訂正請求に対し訂正拒絶理由通知がなされ、平成１２年２月２２日付けで手続補正がなされたものである。
２．訂正の適否についての判断
（１）訂正請求書の補正の適否について
　平成１２年２月２２日付けの補正は、明りょうでない記載の釈明を目的とするものであり、特許法第１２０条の４第３項において準用する同法第１３１条第２項の規定に適合する。
（２）訂正事項
　特許権者が求めている訂正事項は、手続補正書によって補正された全文訂正明細書のとおり、すなわち次の（ｉ）及び（ｉｉ）のとおりである。
（ｉ）「特許請求の範囲」の欄
　特許請求の範囲の減縮と明りょうでない記載の釈明を目的として、請求項１を次のとおりに訂正請求されている。
「（１）陰極板を有する陰極室と陽極板を有する陽極室を隔膜を介して分割している電解槽を備え、電解槽を形成する枠体は一対の分割箱部分を互いに係合して箱部分が形成され、上記箱部分内に隔膜付き隔壁箱が配置され、この隔壁箱は上記電解槽内で隔膜部分だけで陰極室および陽極室を互いに連通すると共に、該隔壁箱の内部には陰極板および陽極板の一方が収納され他方の極板が槽内の隔壁箱以外の部分に収納されることにより陰極室および陽極室が構成され、且つ、前記箱部分の下底部の左右位置に給水用入口が設けられる一方、該箱部分の頂上部の左右位置に取水用出口が設けられ、１つの対角線上にある前記給水用入口と取水用出口の相対向する位置に内部に通じる入口および出口が前記隔壁箱に設けられた連続式電解水生成装置において、前記給水用入口から供給されて前記隔膜部分を介して陰極室および陽極室に流れる水のうち、前記箱部分の下底部の左の給水用入口から入った水をその頂上部の右の取水用出口から吐水させ、前記箱部分の下底部の右の給水用入口から入った水を頂上部の左の取水用出口から吐水させるようにして、前記陰極室と陽極室とを流れる水が前記隔膜部分を境として対面するごとく同じ対角線方向へ流れるようにしたことを特徴とする連続式電解水生成装置。」
（ｉｉ）「発明の詳細な説明」の欄
　明りょうでない記載の釈明と誤記の訂正を目的として、次のとおりに訂正請求されている。
（イ）明細書の［課題を解決するための手段］の「上記目的を達成するため、本発明は、・・・ことを要旨とする。」（特許公報第３欄第５０行乃至第４欄第２３行）を、
「上記目的を達成するため、陰極板を有する陰極室と陽極板を有する陽極室を隔膜を介して分割している電解槽を備え、電解槽を形成する枠体は一対の分割箱部分を互いに係合して箱部分が形成され、上記箱部分内に隔膜付き隔壁箱が配置され、この隔壁箱は上記電解槽内で隔膜部分だけで陰極室および陽極室を互いに連通すると共に、該隔壁箱の内部には陰極板および陽極板の一方が収納され他方の極板が槽内の隔壁箱以外の部分に収納されることにより陰極室および陽極室が構成され、且つ、前記箱部分の下底部の左右位置に給水用入口が設けられる一方、該箱部分の頂上部の左右位置に取水用出口が設けられ、１つの対角線上にある前記給水用入口と取水用出口の相対向する位置に内部に通じる入口および出口が前記隔壁箱に設けられた連続式電解水生成装置において、前記給水用入口から供給されて前記隔膜部分を介して陰極室および陽極室に流れる水のうち、前記箱部分の下底部の左の給水用入口から入った水をその頂上部の右の取水用出口から吐水させ、前記箱部分の下底部の右の給水用入口から入った水を頂上部の左の取水用出口から吐水させるようにして、前記陰極室と陽極室とを流れる水が前記隔膜部分を境として対面するごとく同じ対角線方向へ流れるようにしたことを要旨とする。」と訂正する。
（ロ）明細書の「第７図・・・第８図は概略構成図」（特許公報第４欄第３１行及び第３２行）を、
「第７図は、本発明の一実施例を示すもので、第８図は連続式電解水生成装置の概略構成図」と訂正する。
（ハ）明細書の「前記隔壁箱Ｂには、・・・吐水するものである。」（特許公報第４欄第４６行乃至第５欄第１４行）を、
「前記隔壁箱Ｂには、第４図に示すように、対角線の両端部位に入口１９、出口２０が設けられ、入口１９から送り込まれた水は内部の仕切板２１で区画され通路を介して、同図中、左上から陽極室に入り、該陽極室中を対角線方向（第４図中、左上から右下に向かう方向）に流れた後、反対側の仕切板２２で区画された通路へ、同図中、右下から入り、該通路を介して出口２０から隔壁箱の外に出されるようになっている。前記電解槽Ａの他方の分割箱部分１１には、その両端部位に給水用入口２３、取水用出口２４が設けられ、一方の分割箱部分１０には、その両端部位に取水用出口２５、給水用入口２６が、設けられている。給水用入口２３から送り込まれた水はそのまま隔壁箱Ｂ、Ｂの入口１９から隔壁箱内に流れ、出口２０から出て、そのまま分割箱部分１０の取水用出口２５を介して外に取り出される。一方、給水用入口２６から送り込まれた水は、２個の隔壁箱Ｂと３枚の陰極板１２のあいだに残されている空所部分２７（陰極室）を対角線方向（第１図中左上から右下の方向）に流れ、分割箱部分１０の出口２４から外に取り出される。つまり陰極室と陽極室を流れる水は互いに反対方向から空所部分２７と隔壁箱Ｂに入った後、隔膜１５（第８図中、符号は省略するが、隔壁箱Ｂの左右両側部の点線で示す部分）を境として対面するごとく、同じ対角線方向（第１図中、左上から右下の方向）に流れ、しかる後、電解槽上部（第１図中、右端部）の夫々の取水用出口２４、２５から吐水するものである。」と訂正する。
（ニ）明細書の「第７図は・・・第８図は」（特許公報第６欄第１５行乃至第１７行）を、
「第７図は分解した状態の縦断面図、第８図は」と訂正する。
（ホ）明細書の「２３、２４・・・給水用入口、２５、２６・・・取水用出口。」（特許公報第６欄第２３行）を、
「２３、２６・・・給水用入口、２４、２５・・・取水用出口。」と訂正する。
（ヘ）第７Ａ図と第７Ｂ図を削除する。
（３）訂正の目的の適否、新規事項の有無及び拡張・変更の存否
　上記訂正は、特許請求の範囲の減縮やこの減縮に伴う明りょうでない記載の釈明及び誤記の訂正に該当するものであって、いずれも特許明細書に記載した事項の範囲内でなされたものであるから新規事項の追加に該当せず、また当該訂正によって実質上特許請求の範囲を拡張し又は変更するものでもない。
（４）独立特許要件の判断
（本件訂正発明）
　本件訂正明細書の請求項１に係る発明（以下、「訂正発明」という）は、平成１２年２月２２日付け手続補正書で補正された訂正明細書の上記（２）（ｉ）に示す請求項１に記載された事項により特定されるとおりのものである。
（取消理由及び訂正拒絶理由）
　当審が通知した取消理由及び訂正拒絶理由は、次のとおりである。
（ｉ）本件特許明細書（又は訂正明細書）及び図面は、次の記載不備があるから、特許法第３６条第３項又は第４項及び第５項に規定する要件を満たしていない。
（イ）特許請求の範囲の記載と発明の詳細な説明とが一致していないため、本件発明の構成である「交差する流路」の意味するところが不明確である。
（ロ）本件発明は「水が互いに反対方向から・・・対向するごとく交差する流路を形成するようにした」点を構成要件としているが、発明の詳細な説明からでは、水の流れが「互いに反対方向」に流れるものとは解せないから、特許請求の範囲の記載と発明の詳細な説明とが一致していない。
（ハ）図面、特に第７Ａ図及び第７Ｂ図とその図面に関する説明が不明確である。
（ニ）陰極室、陽極室及び隔膜の配置構造について、訂正明細書の記載が必ずしも明確ではないから、本件訂正発明の水の流れに関する構成が依然として不明確である。
（ｉｉ）本件の請求項１に係る発明は、その出願の日前の出願であって、その出願後に出願公開された下記（イ）又は（ロ）の出願の願書に最初に添付した明細書又は図面に記載された発明又は考案と同一であると認められるから、特許法第２９条の２の規定により特許を受けることができない。
（イ）特願平１−２４６９０号（特開平２−２０３９８９号公報参照）
（ロ）実願平１−５２２６号（実開平２−９５５８９号公報）のマイクロフィルム
（当審の判断）
上記（ｉ）の取消理由及び訂正拒絶理由については、訂正請求書とその手続補正書による上記訂正事項により解消されたと云える。
　また、上記（ｉｉ）の取消理由について検討すると、上記（イ）又は（ロ）の先願の発明者である斉藤史朗から提出された平成１１年７月２７日付け宣誓書によれば、上記（イ）又は（ロ）の先願明細書に記載された発明又は考案は、先願の発明者である斉藤史朗が本件発明者との共同研究中に本件発明者から知り得たものであり、本件発明者によって真に発明又は考案されたものであると認められるから、先願明細書に記載された発明又は考案をした者は、本件発明の発明者と同一の者であると認められる。
　してみると、本件発明は、特許法第２９条の２第１項の括弧書きに該当しこの規定の適用から除外されるものである。
　また、本件発明を減縮した本件訂正発明についても、同様のことが云えるから、本件訂正発明も、上記（ｉｉ）の理由によっては拒絶することができない。
　したがって、本件訂正発明は、上述したとおり、特許出願の際独立して特許を受けることができるものである。
　
（５）むすび
　以上のとおり、上記訂正請求は、特許法第１２０条の４第２項、同条第３項で準用する第１２６条第２項乃至第４項の規定に適合するので、当該訂正を認める。
３．特許異議申立ての理由の概要
３−１．特許異議申立人テクノエクセル株式会社について
　特許異議申立人は、証拠方法として、甲第１号証（特開平２−２０３９８９号：上記２．（４）（ｉｉ）（イ）の先願明細書と同じ）を提出して、本件請求項１に係る発明は、次の（ｉ）及び（ｉｉ）の理由により、取り消されるべきものであると主張している。
（ｉ）本件の請求項１に係る発明は、その出願の日前の出願であって、その出願後に出願公開された出願の願書に最初に添付した明細書又は図面（上記甲第１号証）に記載された発明と同一であると認められるから、特許法第２９条の２の規定により特許を受けることができない。
（ｉｉ）本件特許明細書及び図面は、上記２．（４）（ｉ）（イ）及び（ハ）に示したような記載不備があるから、特許法第３６条第３項又は第４項及び第５項に規定する要件を満たしていない。
（当審の判断）
上記（ｉ）の主張について
　この主張については、上記２．（４）で述べたとおりであるから、特許異議申立人の上記主張は採用することができない。
上記（ｉｉ）の主張について
　特許異議申立人が主張する本件特許明細書及び図面の記載不備の点は、上記２．（４）で述べたとおり、訂正請求書とその手続補正書による上記訂正事項により解消されたと云えるから、特許異議申立人の上記主張は採用することができない。
３−２．特許異議申立人池田英起について
　特許異議申立人は、証拠方法として、甲第１号証乃至甲第５号証を提出して、本件請求項１に係る発明の特許は、次の（ｉ）乃至（ｉｉｉ）の理由により、取り消されるべきものであると主張している。
（ｉ）本件の請求項１に係る発明は、甲第１号証（特開昭６２−１０２８８９号公報）、甲第２号証（特開昭５４−１１４４７８号公報）、甲第３号証（実願昭５１−７８９９７号（実開昭５２−１７０８５５号）のマイクロフィルム）及び甲第４号証（特開昭５４−１５２６７１号公報）に記載された発明又は考案に基づいて当業者が容易に発明をすることができたものであるから、特許法第２９条第２項の規定により特許を受けることができない。
（ｉｉ）本件の請求項１に係る発明は、その出願の日前の出願であって、その出願後に出願公開された出願の願書に最初に添付した明細書又は図面（甲第５号証：上記２．（４）（ｉｉ）（ロ）の先願明細書と同じ）に記載された考案と同一であると認められるから、特許法第２９条の２の規定により特許を受けることができない。
（ｉｉｉ）本件特許明細書及び図面は、上記２．（４）（ｉ）（ロ）及び（ハ）に示したような記載不備があるから、特許法第３６条第３項又は第４項及び第５項に規定する要件を満たしていない。
（当審の判断）
上記（ｉ）の主張について
（本件発明）
　本件発明は、平成１２年２月２２日付け手続補正書で補正された訂正明細書の上記（２）（ｉ）に示す請求項１に記載された事項により特定されるとおりのものである。
（証拠の記載内容）
　特許異議申立人が提出した上記甲第１号証乃至甲第４号証には、それぞれ次の事項が記載されている。
（１）甲第１号証：特開昭６２−１０２８８９号公報
（イ）「電解槽内に陰極板と陽極板とを隔体を介して設置し、前記電解槽に電解液を供給する導水管を接続すると共に前記陰陽両極板間に直流電流を印加する電気回路を接続し、前記隔体で画成された陰極板室に電解により生成された陰極水を排出する陰極水管を接続すると共に前記隔体により画成された陽極板室に電解により生成されて殺菌性を有する陽極水を排出する陽極水管を接続したことを特徴とする殺菌水の製造装置。」（第１頁左欄）
（ロ）「第３図は本発明の一実施例に係る殺菌水の製造装置を表す構成図である。本実施例では導水管２を途中から分岐し、一方の分岐管２ａを陽極板室７側に接続すると共に他方の分岐管２ｂを陰極板室９に接続してある。」（第３頁上段左欄）
（ハ）「第１図に示すように、導水管２が接続された電解槽１内には陽極板３と陰極板４とが隔体（隔膜）５を介して対向設置されている。そして、隔体５で画成されて陽極板３を収容した陽極板室７は陽極水管８に接続されて電解槽１の外部へ導かれている一方、隔体５で画成されて陰極板４を収容した陰極板室９は陰極水管１０に接続されて電解槽１の外部へ導かれている。」（第２頁上段右欄）
（２）甲第２号証：特開昭５４−１１４４７８号公報
（イ）「本発明はイオン交換膜法アルカリ金属塩電解槽の排液用ヘッダーに関する。」（第１頁右欄）
（ロ）「第１図は本発明に適用する単位電槽枠の例であり、例えば破線で区切った部分より手前が陽極室Ａで、後側が陰極室Ｋであるとする。Ａには塩水供給ノズル１０及び戻り塩水取り出しノズル１１が取り付けられており、Ｋには濃度調整用水又は循環陰極液供給ノズル１２及び陰極液である苛性アルカリ取り出しノズル１３が夫々取り付けられている。第２図は・・・従って、陽極液（塩水）は矢印１の如く流れ、陰極液は陽極液と隔壁をへだてて破線矢印２の如く流れることになる。」（第２頁下段）
（３）甲第３号証：実願昭５１−７８９９７号（実開昭５２−１７０８５５号）のマイクロフィルム
（イ）「本考案は、隔膜法、特に隔膜として陽イオン交換膜を用いるアルカリ金属塩水溶液電解槽を構成する単位電解槽に係り、詳しくは漏洩電流による給排ノズルの電食を機械的な手段で防止した単位電解槽に関する。」（第２頁）
（ロ）「第１図は本考察の代表的な態様である複極式電極を用いたイオン交換膜法アルカリ金属塩水溶液単位電解槽の概略図である。単位電解槽はメッシュの陽極１を設けた陽極室と、反対側に陰極を設けた陰極室とが隔壁で区切られ、陽極と陰極とは隔壁を介して電気的に接続された一体物として構成されている。・・・陽極室のノズルは給液ノズル２と排液ノズル３とハロゲンガス取り出しノズル４である。一方の陰極室のノズルは給液ノズル５と生成アルカリ液取り出しノズル６と水素ガス取り出しノズル７である。」（第５頁第１２行乃至第６頁第５行）
（４）甲第４号証：特開昭５４−１５２６７１号公報
（イ）「密閉容器内に電極板を収納し、上記容器の一端に圧力水供給口を設け、供給された圧力水の電解により得られる陽極水及び陰極水を分離する隔膜を上記陰陽極板隙間に設ける一方、上記隔膜により分離された陽極水と陰極水を互に混合することなく排出する陽極水排出口と陰極水排出口とを密閉容器の他端にそれぞれ設けることを特徴とする連続式整水器。」（第１頁左欄）
（ロ）「１又は２以上のそれぞれの極板はわずかな間隔を保って交互に積層されている。７は密閉容器であって内部に陰極板５及び陽極板６を収納し、連続電解槽として使用する。」（第２頁上段右欄）
（ハ）「収納すべきその他の部材を収納・固定した後、本体７ａと蓋体７ｂとを溶着その他の方法で密に接合する。」（第２頁上段右欄）
（対比・判断）
　上記甲第１号証には、電解槽１内に陽極板３と陰極板４とが隔体（隔膜）５を介して対向設置された「殺菌水の製造装置」が記載され、この「殺菌水の製造装置」は、水道水等を電気分解してアルカリ水と酸性水を生成する「連続式電解水生成装置」に相当するものであるから、そこには「陰極板を有する陰極室と陽極板を有する陽極室を隔膜を介して分割している電解槽を備えた連続式電解水生成装置」の発明（以下、「引用例発明」という）が記載されていると云える。
　そこで、本件発明と上記引用例発明とを対比すると、引用例発明は、その電解槽が一つの枠から形成されるものであるから、一対の分割箱部分が互いに係合して箱構造を形成する電解槽を備えた本件発明とは、その電解槽の具体的な構造の点、即ち一対の分割箱、隔膜付き隔壁箱、給水用入口と取水用出口の配置、陰極室と陽極室とを流れる水の方向等多くの点で相違している。
　特許異議申立人は、これら相違点について、上記甲第２号証乃至甲第４号証を提出しているが、これら証拠のうち、上記甲第２号証及び甲第３号証は、イオン交換膜法によるアルカリ金属塩の電解槽に関するものであり、本件発明の「電解水生成装置」とは別異の技術である。また、そこには、本件発明の如き電解槽の構造を示唆する記載はなく、水の流れを「陰極室と陽極室とを流れる水が前記隔膜部分を境として対面するごとく同じ対角線方向へ流れるようにした」構造について示唆する記載もない。
　また、上記甲第４号証について検討すると、この証拠にも、「本体と蓋体からなる電解槽」が記載されているだけであり、本件発明の如き一対の分割箱や隔膜付き隔壁箱等から成る電解槽の構造や水の流れを「陰極室と陽極室とを流れる水が前記隔膜部分を境として対面するごとく同じ対角線方向へ流れるようにした」構造について示唆する記載はない。
　してみると、本件発明は、上記甲第１号証乃至甲第４号証に記載された発明又は考案に基づいて当業者が容易に発明をすることができたものとすることができないから、特許異議申立人の上記（ｉ）の主張は採用することができない。
上記（ｉｉ）の主張について
　この主張については、上記２．（４）で述べたとおりであるから、特許異議申立人の上記（ｉｉ）の主張は採用することができない。
上記（ｉｉｉ）の主張について
　特許異議申立人が主張する本件特許明細書及び図面の記載不備の点は、上記２．（４）で述べたとおり、訂正請求書とその手続補正書による上記訂正事項により解消されたと云えるから、特許異議申立人の上記（ｉｉｉ）の主張も採用することができない。
　
４．むすび
　以上のとおり、特許異議申立ての理由及び証拠方法によっては、本件発明の特許を取り消すことはできない。
　また、他に本件発明に係る特許を取り消すべき理由を発見しない。
　よって、結論のとおり決定する。
【異議決定日】
平成１２年３月２９日（２０００．３．２９）
【訂正の要旨】
訂正の要旨
本件訂正の要旨は、本件特許第２７９４０３６号発明の明細書を平成１２年２月２２日付け手続補正書により補正された全文訂正明細書のとおり、すなわち特許請求の範囲の減縮、明りょうでない記載の釈明及び誤記の訂正を目的として、次の（ｉ）及び（ｉｉ）のとおり訂正するものである。
（ｉ）「特許請求の範囲」の欄
　特許請求の範囲の減縮と明りょうでない記載の釈明を目的として、請求項１を次のとおり訂正する。
「（１）陰極板を有する陰極室と陽極板を有する陽極室を隔膜を介して分割している電解槽を備え、電解槽を形成する枠体は一対の分割箱部分を互いに係合して箱部分が形成され、上記箱部分内に隔膜付き隔壁箱が配置され、この隔壁箱は上記電解槽内で隔膜部分だけで陰極室および陽極室を互いに連通すると共に、該隔壁箱の内部には陰極板および陽極板の一方が収納され他方の極板が槽内の隔壁箱以外の部分に収納されることにより陰極室および陽極室が構成され、且つ、前記箱部分の下底部の左右位置に給水用入口が設けられる一方、該箱部分の頂上部の左右位置に取水用出口が設けられ、１つの対角線上にある前記給水用入口と取水用出口の相対向する位置に内部に通じる入口および出口が前記隔壁箱に設けられた連続式電解水生成装置において、前記給水用入口から供給されて前記隔膜部分を介して陰極室および陽極室に流れる水のうち、前記箱部分の下底部の左の給水用入口から入った水をその頂上部の右の取水用出口から吐水させ、前記箱部分の下底部の右の給水用入口から入った水を頂上部の左の取水用出口から吐水させるようにして、前記陰極室と陽極室とを流れる水が前記隔膜部分を境として対面するごとく同じ対角線方向へ流れるようにしたことを特徴とする連続式電解水生成装置。」
（ｉｉ）「発明の詳細な説明」の欄
明りょうでない記載の釈明と誤記の訂正を目的として、次のとおり訂正する。
（イ）明細書の［課題を解決するための手段］の「上記目的を達成するため、本発明は、・・・ことを要旨とする。」（特許公報第３欄第５０行乃至第４欄第２３行）を、
　「上記目的を達成するため、陰極板を有する陰極室と陽極板を有する陽極室を隔膜を介して分割している電解槽を備え、電解槽を形成する枠体は一対の分割箱部分を互いに係合して箱部分が形成され、上記箱部分内に隔膜付き隔壁箱が配置され、この隔壁箱は上記電解槽内で隔膜部分だけで陰極室および陽極室を互いに連通すると共に、該隔壁箱の内部には陰極板および陽極板の一方が収納され他方の極板が槽内の隔壁箱以外の部分に収納されることにより陰極室および陽極室が構成され、且つ、前記箱部分の下底部の左右位置に給水用入口が設けられる一方、該箱部分の頂上部の左右位置に取水用出口が設けられ、１つの対角線上にある前記給水用入口と取水用出口の相対向する位置に内部に通じる入口および出口が前記隔壁箱に設けられた連続式電解水生成装置において、前記給水用入口から供給されて前記隔膜部分を介して陰極室および陽極室に流れる水のうち、前記箱部分の下底部の左の給水用入口から入った水をその頂上部の右の取水用出口から吐水させ、前記箱部分の下底部の右の給水用入口から入った水を頂上部の左の取水用出口から吐水させるようにして、前記陰極室と陽極室とを流れる水が前記隔膜部分を境として対面するごとく同じ対角線方向へ流れるようにしたことを要旨とする。」と訂正する。
（ロ）明細書の「第７図・・・第８図は概略構成図」（特許公報第４欄第３１行及び第３２行）を、
「第７図は、本発明の一実施例を示すもので、第８図は連続式電解水生成装置の概略構成図」と訂正する。
（ハ）明細書の「前記隔壁箱Ｂには、・・・吐水するものである。」（特許公報第４欄第４６行乃至第５欄第１４行）を、
「前記隔壁箱Ｂには、第４図に示すように、対角線の両端部位に入口１９、出口２０が設けられ、入口１９から送り込まれた水は内部の仕切板２１で区画され通路を介して、同図中、左上から陽極室に入り、該陽極室中を対角線方向（第４図中、左上から右下に向かう方向）に流れた後、反対側の仕切板２２で区画された通路へ、同図中、右下から入り、該通路を介して出口２０から隔壁箱の外に出されるようになっている。前記電解槽Ａの他方の分割箱部分１１には、その両端部位に給水用入口２３、取水用出口２４が設けられ、一方の分割箱部分１０には、その両端部位に取水用出口２５、給水用入口２６が、設けられている。給水用入口２３から送り込まれた水はそのまま隔壁箱Ｂ、Ｂの入口１９から隔壁箱内に流れ、出口２０から出て、そのまま分割箱部分１０の取水用出口２５を介して外に取り出される。一方、給水用入口２６から送り込まれた水は、２個の隔壁箱Ｂと３枚の陰極板１２のあいだに残されている空所部分２７（陰極室）を対角線方向（第１図中左上から右下の方向）に流れ、分割箱部分１０の出口２４から外に取り出される。つまり陰極室と陽極室を流れる水は互いに反対方向から空所部分２７と隔壁箱Ｂに入った後、隔膜１５（第８図中、符号は省略するが、隔壁箱Ｂの左右両側部の点線で示す部分）を境として対面するごとく、同じ対角線方向（第１図中、左上から右下の方向）に流れ、しかる後、電解槽上部（第１図中、右端部）の夫々の取水用出口２４、２５から吐水するものである。」と訂正する。
（ニ）明細書の「第７図は・・・第８図は」（特許公報第６欄第１５行乃至第１７行）を、
「第７図は分解した状態の縦断面図、第８図は」と訂正する。
（ホ）明細書の「２３、２４・・・給水用入口、２５、２６・・・取水用出口。」（特許公報第６欄第２３行）を、
「２３、２６・・・給水用入口、２４、２５・・・取水用出口。」と訂正する。
（へ）第７Ａ図と第７Ｂ図を削除する。
（５４）【発明の名称】
連続式電解水生成装置
（５７）【特許請求の範囲】
（１）陰極板を有する陰極室と陽極板を有する陽極室を隔膜を介して分割している電解槽を備え、電解槽を形成する枠体は一対の分割箱部分を互いに係合して箱部分が形成され、上記箱部分内に隔膜付き隔壁箱が配置され、この隔壁箱は上記電解槽内で隔膜部分だけで陰極室および陽極室を互いに連通すると共に、該隔壁箱の内部には陰極板および陽極板の一方が収納され他方の極板が槽内の隔壁箱以外の部分に収納されることにより陰極室および陽極室が構成され、且つ、前記箱部分の下底部の左右位置に給水用入口が設けられる一方、該箱部分の頂上部の左右位置に取水用出口が設けられ、１つの対角線上にある前記給水用入口と取水用出口の相対向する位置に内部に通じる入口および出口が前記隔壁箱に設けられた連続式電解水生成装置において、
　前記給水用入口から供給されて前記隔膜部分を介して陰極室および陽極室に流れる水のうち、前記箱部分の下底部の左の給水用入口から入った水をその頂上部の右の取水用出口から吐水させ、前記箱部分の下底部の右の給水用入口から入った水を頂上部の左の取水用出口から吐水させるようにして、前記陰極室と陽極室とを流れる水が前記隔膜部分を境として対面するごとく
同じ
【発明の詳細な説明】
［産業上の利用分野］
　本発明は、水道水等を電気分解してアルカリイオン水および酸性水を連続的に生成する連続式電解水生成装置の改良に関するものである。
［発明の既要］
　本発明は、電解槽への給水量に対し、酸性イオンを多く含む陽極水とアルカリ性イオンを多く含む陰極水との取水量の比率を変えるようにしたものである。
［従来の技術］
　従来、連続式電解水生成装置として、第９図に示す構成のものが多用されている。
　すなわち、１は電解槽、２は隔膜、３は陽極、４は陰極、５は給水口、６は陽極水出口、７は陰極水出口であって、給水口５から電解槽１に水を供給し、陰極両極間に直流電圧を印加して電気分解を行うと、陰極側に陽イオンを含む水が集まり、陽極側に陰イオンを含む水が集まり、その陽極水および陰極水が、出口６，７から各別に取水されるものである。
　上記連続式電解水生成装置の用途として、陰極水（アルカリ水）は、飲料用に供されている。それがため、電気分解を行ったあと、主として得ようとする陰極水に対して、陽極水の流出量を絞り弁６ａで絞り、陽極水に対して相対的に陰極水の取水量を多くするようにしている。
　また、近時、陰極水の飲料用だけでなく、陽極水（酸性水）もアストリンゼン水、あるいは食品加工、調理などに使用される傾向があり、陰極水、陽極水の区別なく、取水量としては多く生成されることが強く望まれている。
［発明が解決しようとする課題］
　しかし、上記した従来の連続式電解水生成装置の構成では、例えば、前述したように、陰極水の取水を主とした場合、陽極水の出口６を絞り弁６ａで絞ることになるが、その絞りによって陽極を設けた陽極室の内圧が上がり、陽極水が隔膜２を越えて陰極を設けた陰極室に移動して混合する現象が起こるので、それが取水量を多くとるための弊害となっている。これは、陰極水の出口に絞り弁を設け、陽極水の取水を主とする場合も同様である。
　したがって、上記連続式電解水生成装置にあっては、電解槽の給水口５より給水する量に対し、陰極水（または陽極水）の主取水量：陽極水（または陰極水）の従取水量は、電解効率を考慮して、６：４程度の流量比をとるのが限度とされており、これ以上、主取水量の比率を高めようとすると、前述した理由により、陽極水（または陰極水）が陰極水（または陽極水）に混入してしまい、所期の目的を達成することができない。
［発明の目的］
　本発明は、上記の弊害を除去し、電解槽の主取水量と従取水量の比率を、電解効率の極限まで大幅に高めることのできる連続式電解水生成装置を提供することを主たる目的としているものである。
［課題を解決するための手段］
　上記目的を達成するため、陰極板を有する陰極室と陽極板を有する陽極室を隔膜を介して分割している電解槽を備え、電解槽を形成する枠体は一対の分割箱部分を互いに係合して箱部分が形成され、上記箱部分内に隔膜付き隔壁箱が配置され、隔壁箱は上記電解槽内で隔膜部分だけで陰極室および陽極室を互いに連通すると共に、該隔壁箱の内部には陰極板および陽極板の一方が収納され他方の極板が槽内の隔壁箱以外の部分に収納されることにより陰極室および陽極室が構成され、且つ、前記箱部分の下底部の左右位置に給水用入口が設けられる一方、該箱部分の頂上部の左右位置に取水用出口が設けられ、１つの対角線上にある前記給水用入口と取水用出口の相対向する位置に内部に通じる入口および出口が前記隔壁箱に設けられた連続式電解水生成装置において、
　前記給水用入口から供給されて前記隔膜部分を介して陰極室および陽極室に流れる水のうち、前記箱部分の下底部の左の給水用入口から入った水をその頂上部の右の取水用出口から吐水させ、前記箱部分の下底部の右の給水用入口から入った水を頂上部の左の取水用出口から吐水させるようにして、前記陰極室と陽極室とを流れる水が前記隔膜部分を境として対面するごとく
同じ
［作用］
　上記構成の連続式電解水生成装置においては、陰極室および陽極室は独立
し、かつ、給水用入口から供給されて隔膜部分を介して陰極室および陽極室に流れる水のうち、箱部分の下底部の左の給水用入口から入った水をその頂上部の右の取水用出口から吐水させ、前記箱部分の下底部の右の給水用入口から入った水を頂上部の左の取水用出口から吐水させるようにして、前記陰極室と陽極室とを流れる水が前記隔膜部分を境として対面するごとく同じ対角線方向へ流れるように
［実施例］
　第１図ないし
第７図は、
　同図において、Ａは箱形に作った合成樹脂製の電解槽で、左右に２つ割りにした分割箱部分１０，１１から構成されている。
　上記箱形電解槽Ａ内には、それぞれ陽極板１６を入れた２個の隔膜付き隔壁箱Ｂと、３個の陰極板１２とが交互に並べて収容されている。前記隔壁箱Ｂは、幅方向に２つ割りにした分割箱部分１３，１４から構成されている。１５は分割箱部分１３，１４の格子状側面８，９に設けられた隔膜であり、１６は隔壁箱Ｂ内に入れた陽極板である。隔壁箱Ｂ内の陽極板給電端子１６ａは隔壁箱Ｂの孔から電解槽Ａの一方の分割箱部分１０の孔１７を通して外に突出され、また陰極板１２の給電端子１２ａは直接、一方の分割箱部分１０の孔１８から外に突出されている。
　前記隔壁箱Ｂには、
第４図に示すように、
、同図中、左上から
該陽極室中を対角線方向（第４図中、左上から右下に向かう方向）に流れた後、
へ、同図中、右下から入り、該通路を
　前記電解槽Ａの他方の分割箱部分１１には、その両端部位に給水用入口２３、取水用出口２４が設けられ、一方の分割箱部分１０には、その両端部位に取水用出口２５、給水用入口２６が、設けられている。給水用入口２３から送り込まれた水はそのまま隔壁箱Ｂ，Ｂの入口１９から隔壁箱内に流れ、出口２０から出て、そのまま分割箱部分１０の取水用出口２５を介して外に取り出される。一方、給水用入口２６から送り込まれた水は、２個の隔壁箱Ｂと３枚の陰極板１２のあいだに残されている空所部分２７（陰極室）を
対角線方向（第１図中左上から右下の方向）に
入った後、
（第８図中、符号は省略するが、隔壁箱Ｂの左右両側部の点線で示す部分）
、同じ対角線方向（第１図中、左上から右下の方向）に
（第１図中、右端部）
　第８図は、上記構成の連続式電解水生成装置を分り易く示したものである。この図面に示すように、前記装置によれば、全く陽極側、陰極側の流路が独立分離しているため、電気分解でいうイオンの交換移動だけの問題となり、流速に対する電解効率の極限まで、流量の増大が図れる。このことにより、流量比を主取水量：従取水量は８：２程度は十分実用範囲として利用でき、経済的効率の向上が図れる。
　また、上記装置の構成によれば、電解槽としての流路を変更することなく、電気的に極性を反転することにより、生成される水の液性を反転できる。したがって取水口は同一で、陰極水、陽極水の区別なく、電極に印加する直流電圧の極性を反転させることで、取水量を多くする目的は達せられる。
［発明の効果］
　以上に述べたように、本発明によれば、極めて簡単な手段により、電解槽の主取水量と従取水量の比率を、電解効率の極限まで大幅に高めることのできる連続式電解水生成装置を容易に得ることができる。
【図面の簡単な説明】
　第１図は、本発明の一実施例を示す連続式電解水生成装置の縦断側面図、第２図はその（Ｘ−Ｘ）線の断面図、第３図は第２図Ｙ方向から見た側面図、第４図は隔壁箱の一部切断側面図、第５図は隔壁箱の外側面図、第６図は第５図の反対方向から見た隔壁箱の外側面図、第７図は分解した状態の縦断面図、第８図は装置の構成説明図、第９図は従来の連続式電解水生成装置の縦断側面図である。
Ａ……電解槽、１０，１１……分割箱部分、Ｂ……隔壁箱、１２……陰極板、１３，１４……分割箱部分、１５……隔膜、１６……陽極板、１９……入口、２０……出口、２１，２２……仕切板、２３，２６……給水用入口、２４，２５……取水用出口。